(57)【要約】【課題】  針板下方に配置される部材のメンテナンス作業を行う際に、ネジ止めされた固定カバーを取り外すことなく針板ブラケットを脱着可能な、箱型ベッド２重環縫いミシンを提供する。【解決手段】  ベッド２の上面に針板５が針板ブラケット６を介して取り付けられ、針板５の後方には固定カバー１３が、右方にはスライドカバー２３が、左方にはベッド横カバー１５の上面カバー部１７が夫々配置されてベッド２上面をカバーしている。針板ブラケット６は、スライドカバー２３およびベッド横カバー１５の開時に、針板５を含む上面がすべて露呈し脱着可能な形状に形成されている。【選択図】図３
2014057751.tif 000002
【特許請求の範囲】
【請求項１】
箱状に形成されたベッドと、ベッド上面に固定される固定カバーと、固定カバーに穿設された孔に固定カバーと面一に嵌挿されるプッシュボタンと、針板ブラケットを介してベッドに固定される針板と、針板側方に左右のスライド可能にされたスライドカバーを備える箱型ベッド２重環縫いミシンにおいて、ベッド側面にベッド横カバーがヒンジ中心の開閉可能に取り付けられ、前記ベッド横カバーはベッド側面をカバーする側面カバー部と、前記プッシュボタンより前方のベッド上面の一部をカバーする上面カバー部とを備え、前記針板ブラケットは前記ベッド横カバーおよびスライドカバーの開時にベッドへの着脱可能に形成されていることを特徴とする、箱型ベッド２重環縫いミシン。
【請求項２】
前記ベッド横カバーの上面カバー部と前記固定カバーの互いに隣接する端縁が前記ヒンジを中心とする円弧状に形成され、前記針板ブラケットの後側端縁が前記固定カバーの円弧状端縁に沿って円弧状に形成されていることを特徴とする、請求項１に記載の箱型ベッド２重環縫いミシン。
【発明の詳細な説明】
【技術分野】
【０００１】
本発明は、箱型ベッド２重環縫いミシンに関するもので、詳しくは箱型ベッド２重環縫いミシンのカバー機構に関する。
【背景技術】
【０００２】
この種の箱型ベッド２重環縫いミシンとして、ベッドのカバー機構を備えたものが従来より知られている（例えば、特許文献１参照。）。図４は特許文献１に記載される箱型ベッド２重環縫いミシンのミシン本体を示す概略斜視図である。ミシン本体３１の下部に箱状のベッド３２が形成され、ベッド上面には針板３３が取り付けられている。ベッド３２前面に設けられた前カバー３６は図示しないヒンジを中心に、手前側に開くようになっており、この前カバー３６を開けると、針板３３の手前や右側方の内部機構が露呈するようになっている。針板３３の後方および左側のベッド上面には固定カバー３４が固定されている。そして固定カバー３４に穿たれた孔にプッシュボタン３５が該固定カバー３４と面一にして配置されている。プッシュボタン３５は図示しない公知の送り量調節機構に連結されており、プッシュボタン３５の操作によってミシンの１駆動における布地の送り量を調節できる。
【０００３】
また、ベッド左側面のカバーが開閉可能なものも、従来より知られている（例えば、特許文献２参照。）。図５は特許文献２に記載される箱型ベッド２重環縫いミシンのミシン本体を示す斜視図である。ミシン本体４１の下部に形成されるベッド４２の前面に前カバー４５が設けられ、針板４３の後方や左側のベッド上面に固定カバー４４が固定されているのは特許文献１のミシン本体３１と同様である。そして、ベッド４２の左側面はベッド横カバー４６によってカバーされており、このベッド横カバー４６は図６に示すヒンジ４７を中心に開閉可能となっている。
図６は固定カバー４４，前カバー４５，ベッド横カバー４６，針板４３等を取り外したベッド４２の要部を示した斜視図である。ベッド４２の左側面には、主・差動送り歯の運動量比を調節する公知の差動調節レバー４８が設けられ、ベッド横カバー４６を開けた状態で、該差動調節レバー４８は操作できるようになっている。縫製時はこの差動調節レバー４８が布地搬送の障害にならぬよう、ベッド横カバー４６は閉められて差動調節レバー４８をカバーしている。
針板４３の図示しない針が貫通して上下動する針落ちの下方には、送り歯３７，ルーパ３８，針受け３９等が配置されており、針とこれら部材が協同して２重環縫い目が形成される。なお、針板４３は図示しない針板ブラケットにネジ固定され、該針板ブラケットはピン５０と係合して位置決めされて、ネジ４９，４９でベッド４２に固定されている。
【先行技術文献】
【特許文献】
【０００４】
【特許文献１】実開昭６３−１３６５８７号公報（第２頁、１図）
【特許文献２】特開２００３−１８１１８６号公報（第７頁、１，２図）
【発明の概要】
【発明が解決しようとする課題】
【０００５】
前述のように、針板の針落ち下方には送り歯，ルーパ，針受けなどの部材が密集して配置されており、それら部材の交換脱着，調整，掃除など所謂メンテナンス作業を行うとき、針板を取り外すと、前記部材の上方の視界やスペースが開くので作業を良好に行うことができる。針板は消耗品であり、また縫製条件に応じて様々な種類のものに交換されることから、針板の針落ちなど位置精度を考慮して、針板の針板ブラケットに対する取り付けには若干の遊びを設けてある。したがって、上記メンテナンス作業の際に針板を取り外すときは、針板ブラケットごとベッドから取り外すのが望ましい。
ところが、前述のような従来公知の箱型ベッド２重環縫いミシンにおいて、ベッド上面の固定カバーを取り外さなければ針板ブラケットをベッドから取り外すことができず、また該固定カバーは通常ベッドにネジ止めされており、したがってこの針板ブラケットの取り外しは非常に面倒なものであった。この固定カバーの脱着を容易にするため、例えば固定カバーを水平スライド可能に設けると、特許文献１に開示されるプッシュボタンを設けた場合にこのプッシュボタンが固定カバーのスライドの障害となる。
【０００６】
本発明は、上記問題を解決するためになされたものであり、ネジ止めされた固定カバーを取り外すことなく、針板ブラケットを脱着可能な箱型ベッド２重環縫いミシンを提供することを目的とする。
【課題を解決するための手段】
【０００７】
上記目的を達成するために、請求項１に記載の発明、
箱状に形成されたベッドと、ベッド上面に固定される固定カバーと、固定カバーに穿設された孔に固定カバーと面一に嵌挿されるプッシュボタンと、針板ブラケットを介してベッドに固定される針板と、針板側方に左右のスライド可能にされたスライドカバーを備える箱型ベッド２重環縫いミシンにおいて、ベッド側面にベッド横カバーがヒンジ中心の開閉可能に取り付けられ、前記ベッド横カバーはベッド側面をカバーする側面カバー部と、前記プッシュボタンより前方のベッド上面の一部をカバーする上面カバー部とを備え、前記針板ブラケットは前記ベッド横カバーおよびスライドカバーの開時にベッドへの着脱可能に形成されていることを特徴とする。
【０００８】
請求項２の発明は、請求項１の箱型ベッド２重環縫いミシンにおいて、前記ベッド横カバーの上面カバー部と前記固定カバーの互いに隣接する端縁が前記ヒンジを中心とする円弧状に形成され、前記針板ブラケットの後側端縁が前記固定カバーの円弧状端縁に沿って円弧状に形成されていることを特徴とする。
【発明の効果】
【０００９】
請求項１の発明によれば、固定カバーのネジ止めを取り外さなくても、針板ブラケットの脱着が可能である。針板ブラケットを取り外す目的、すなわち前述のメンテナンス作業時において、採光や埃の逃がし口としてベッド横カバーを開いておくのが望ましいが、本発明ではこのベッド横カバーの開行為によって針板ブラケットの取り外しが可能となる。
【００１０】
請求項２の発明によれば、ベッド横カバーの上面カバー部と固定カバーの隣接する端縁がヒンジ中心の円弧状に形成されるので、ベッド横カバーの開閉はスムーズに行われる。また、針板ブラケットの後側端縁が前記固定カバーの円弧状端縁に沿って円弧状に形成されているので、針板ブラケットのベッドへの接地面積が大きくされ、針板、針板ブラケットがベッドにしっかりと固定される。
【図面の簡単な説明】
【００１１】
【図１】箱型ベッド２重環縫いミシンにおけるカバーを開いた状態を示す全体斜視図。
【図２】図１のミシンのベッドについて、カバーを閉じた状態を示す平面図。
【図３】図１のミシンのベッドについて、カバーを開いた状態を示す要部平面図。
【図４】特許文献１に係る箱型ベッド２重環縫いミシンのミシン本体を示す全体斜視図。
【図５】特許文献２に係る箱型ベッド２重環縫いミシンのミシン本体を示す全体斜視図。
【図６】図５のミシンにおいて、カバー類および針板ブラケットを取り外した状態のベッドを示す要部斜視図。
【発明を実施するための最良の形態】
【００１２】
図１は本発明に係る箱型ベッドミシンにおいて、後述する前カバーおよびベッド横カバーが開かれた状態を示す全体斜視図である。ミシン本体１の下部に箱状のベッド２が配置され、アーム３はベッド２の上方にその基部が隣接されるとともに該基部から水平に延びて設けられている。アーム３の水平に延びる先端部から図示しない針棒が突出し、針棒の先端には針４が取り付けられている。オイルパン８はベッド２の下方に配置され、ベッド２に固定されている。ベッド２の前面は前カバー９で覆われており、前カバー９はヒンジ１１中心に開閉可能となっている。
【００１３】
針４の下方には針板５が配置され、針板５は針板ブラケット６にネジ７，７で固定され、針板ブラケット６はベッド２の上面にベッド２手前方向に延びるようにして配置固定されている。針板７の下方には送り歯１０、ルーパ２１、針受け２２など公知の部材が配置されており、これらの部材と針４の協同によって公知の２重環縫い目が形成される。針板５の右側にはスライドカバー２３が左右のスライド可能に設けられ、針板５の右側が一部開閉されるようにしてある。ベッド２の左側面には差動調節レバー１２が設けられている。
【００１４】
図２に示すように、針板５後方のベッド２上面には固定カバー１３が固定配置されている。主軸２４はベッド２の左右に渡り水平配置されている。プッシュボタン１４は固定カバー１３に穿設された孔１３ｂに固定カバー１３上面と面一になるようにして嵌挿配置されている。また、プッシュボタン１４は主軸２４の上方に位置しており、主軸２４に取り付けられる図示しない送り量調節機構に連結されており、プッシュボタン１４の操作によってミシン１駆動すなわち主軸２４の１回転における送り歯１０による布地の送り量を調節できる。本実施例のように、プッシュボタン１４を固定カバー１３と面一にすると、縫製時に布地がプッシュボタン１４の部分で引っ掛からず、スムースに搬送される。また、プッシュボタン１４をベッド２上面の固定カバー１３中に配置すると、固定カバー１３上面と図示しないミシンテーブル上面を面一にしてミシン本体を該ミシンテーブルに取り付けても、プッシュボタン１４を操作し送り量を調節できる。
【００１５】
図１乃至図３に示すように、ベッド２の左側方にベッド横カバー１５が配置され、ベッド横カバー１５はベッド２の側面に取り付けられたヒンジ１９のピン２６の軸周りに回動可能に取り付けられている。ベッド横カバー１５は主に、ベッド２の左側面をカバーする側面カバー部１６、該側面カバー部１６に連設されベッド２の前面の一部をカバーする前面カバー部１８、およびプッシュボタン１４の手前側のベッド２上面をカバーする上面カバー部１７によって構成されている。
【００１６】
ベッド横カバー１５の前カバー部１８前面には持ち手部１８ａが形成され、指でこの持ち手部１８ａを掴みベッド横カバーの開閉はなされる。側面カバー部１６の内側面には板バネ２０が固定されており、ベッド横カバー１５の閉時にはこの板バネ２０とベッド２前面に固定された板バネ２５が係合し、ベッド横カバー１５の閉位置が保持される。
【００１７】
ベッド横カバー１５の閉時に固定カバー１３と接する上面カバー部１７の端縁１７ａは、ヒンジ１９のピン２６の軸心を中心とする円弧状に形成されており、該端縁１７ａと接する固定カバー１３の端縁１３ａもまた該端縁１７ａと同径の円弧状に形成されている。これによって、固定カバー１３と上面カバー部１７の当接部分は隙間なくカバーされるとともに、ベッド横カバー１５の開閉はスムースに行うことができる。また、ベッド横カバー１５の閉時に上面カバー部１７の右側面は針板５の左側面に当接し、針板ブラケット６は上面カバー部１７によってカバーされる。
【００１８】
針板ブラケット６は、ベッド２に突設されたピン２７によって正確に位置決めされて、ネジ２８でベッド２に固定されている。また、針板ブラケット６の針板５左方かつ後側の端縁６ａは、ヒンジ１９のピン２６の軸心を中心としかつ固定カバー１３の端縁１３ａと同径の円弧状に形成されている。つまり、針板ブラケット６の縁端６ａと固定カバー１３の縁端１３ａは概ね隙間なく当接していることになる。以上の構成によれば、ベッド横カバー１５およびスライドカバー２３の開時には、針板ブラケット６または針板５の上面がすべて露呈され、針板ブラケット６はネジ２８の止め外しによって脱着可能となる。また、針板ブラケット６とベッド２との接地面積を大きくされて、針板ブラケット６はベッド２に安定して固定されることとなる。
【００１９】
前述のようにして針板５を針板ブラケット６に取り付けられたままを取り外すと、針板５の下方に配置されている送り歯１０，ルーパ２１，針受け２２等の部材の上方が開口し、それら各部材の交換，調整，埃掃除等のメンテナンス作業を容易に行うことができる。
【００２０】
本発明は以上説明した実施例に限定されるものではなく、当業者であれば、本発明の趣旨を逸脱しない範囲で、前記実施例に種々の変更を付加して実施することができ、本発明はそれらの変更形態をも包含するものである。
【符号の説明】
【００２１】
２                ベッド
５                針板
６                針板ブラケット
１３              固定カバー
１３ａ            端縁
１３ｂ            孔
１４              プッシュボタン
１５              ベッド横カバー
１６              側面カバー部
１７              上面カバー部
１７ａ            端縁
１８              前面カバー部
１９              ヒンジ
２３              スライドカバー
２４              主軸
２６              ピン
【図１】
2014057751.tif 000003
【図２】
2014057751.tif 000004
【図３】
2014057751.tif 000005
【図４】
2014057751.tif 000006
【図５】
2014057751.tif 000007
【図６】
2014057751.tif 000008